(57)【要約】【課題】比較的構造が簡単で施工も容易であり、強風や地震によってずれたり崩れたりしにくい瓦葺き屋根の棟構造を提供する。【解決手段】棟両側の桟瓦４の瓦尻上にのし瓦６を複数段積み重ね、その上に丸瓦７を棟両側ののし瓦６を跨ぐようにして取付けた構造をなす瓦葺き屋根の棟構造において、棟両側の桟瓦４には谷中央部に孔８をあけてボルト９を通し、野地板２に捩じ込む。中央部を丸瓦７に掛け、丸瓦７とのし瓦６に掛け渡した第２の針金１２は両端部がボルト９に連結され、瓦６及び７を押え込んで支持する。【選択図】図２
2013238008.tif 000002
【特許請求の範囲】
【請求項１】
棟両側の桟瓦の瓦尻上にのし瓦を複数枚積み重ね、その上に丸瓦を棟両側ののし瓦を跨ぐようにして取付けた構造をなす瓦葺き屋根の棟構造において、中央部を丸瓦に掛けた第１の針金の両側部をそれぞれ棟両側ののし瓦を経て、各端部を連結手段により桟瓦に、或いは桟瓦を通して野地板に連結し、これにより両端を固定された第１の針金が丸瓦と棟両側ののし瓦に掛け渡された構造をなすことを特徴とする棟構造。
【請求項２】
前記手段は桟瓦にあけた孔に通して桟瓦に固定され、第１の針金が取付けられるボルト、或いは桟瓦を通して野地板に打付け或いは捩じ込んで固定され、第１の針金が取付けられる釘、ボルト或いはホッチキス等の止着具であることを特徴とする請求項１記載の棟構造。
【請求項３】
棟両側の桟瓦上に第２の針金を棟に沿わせて配設し、該第２の針金は桟瓦上において前記第１の針金と連結されると共に、棟端に取付けられる鬼瓦に掛け、該鬼瓦を保持することを特徴とする請求項１又は２記載の棟構造。
【発明の詳細な説明】
【技術分野】
【０００１】
本発明は、瓦葺き屋根の棟構造に関する。
【背景技術】
【０００２】
瓦葺き屋根は通常、母屋上に野地板を取付けたのち、野地板上に桟木を棟から軒の間まで一定間隔で横向きに取付け、ついで各桟木にそれぞれ桟瓦を引掛けて並べ、軒から棟まで桟瓦を葺いた構造を有しており、棟においては、棟に沿い、棟両側の桟瓦の桟尻上まで練土を被せたのち棟両側にのし瓦を並べ、更にその上に練土を介してのし瓦を複数段積み重ね、ついで丸瓦（冠瓦）を棟両側ののし瓦を跨ぐようにして取付けた構造を有しており、丸瓦は該丸瓦内に設けた棟桟等に針金や釘を用いて固定され、台風等の強風により煽られて飛散することがないようにしている。
【０００３】
のし瓦や丸瓦が台風等の強風や地震発生時に浮き上がったり、ずれたり、飛散したりして崩壊することがないようにするため、棟母屋上に逆Ｙ字形の固定金具を棟に沿って所定間隔で固定し、該固定金具上に架設した心棒に針金を結び付けて該針金で棟両側の桟瓦の瓦尻上に積み重ねたのし瓦やその上の丸瓦を縛り付けた構造のものも知られる（特許文献１）。
【先行技術文献】
【特許文献】
【０００４】
【特許文献１】特開平７−１１９２５０号公報
【発明の概要】
【発明が解決しようとする課題】
【０００５】
引用文献１に開示される棟構造においては、のし瓦や丸瓦を縛り付ける針金を結びつける固定金具や心棒が必要で、その取付作業も必要である。そのうえ、これら瓦を縛り付ける針金は一か所で心棒に結び付けられているため、針金で縛り付けられた丸瓦やのし瓦が共に台風等の強風にあおられたり、地震によってずれたりして横倒しに崩れたりするおそれがある。
【０００６】
本発明は、上記の問題を解消し、比較的構造が簡単で施工も容易であり、強風や地震によってずれたり崩れたりしにくい瓦葺屋根の棟構造を提供することを目的とする。
【課題を解決するための手段】
【０００７】
請求項１に係る発明は、棟両側の桟瓦の瓦尻上にのし瓦を複数枚積み重ね、その上に丸瓦を棟両側ののし瓦を跨ぐようにして取付けた構造をなす瓦葺き屋根の棟構造において、中央部を丸瓦に掛けた第１の針金の両側部をそれぞれ棟両側ののし瓦を経て、各端部を連結手段により桟瓦に、或いは桟瓦を通して野地板に連結し、これにより両端を固定された第１の針金が丸瓦と棟両側ののし瓦に掛け渡された構造をなすことを特徴とする。
【０００８】
請求項２に係る発明は、請求項１に係る発明において、連結手段は桟瓦にあけた孔に通して桟瓦に固定され、第１の針金が取付けられるボルト、或いは桟瓦を通して野地板に打付け或いは捩じ込んで固定され、第１の針金が取付けられる釘、ボルト、ネジ或いはホッチキス等の止着具であることを特徴とし、
請求項３に係る発明は、請求項１又は２に係る発明において、棟両側の桟瓦上に第２の針金を棟に沿わせて配設し、該第２の針金は桟瓦上において前記第１の針金と連結されると共に、棟端に取付けられる鬼瓦に掛け、該鬼瓦を保持することを特徴とする。
【発明の効果】
【０００９】
請求項１に係る発明によると、丸瓦とのし瓦に掛け渡される第１の針金は、両端が連結手段により桟瓦或いは野地板に固定された状態で丸瓦とのし瓦を押え込むため、強風や地震発生時にこれら瓦がずれたり崩れたりしにくく、しっかりと固定できること、従来の瓦葺き屋根の棟構造において、第１の針金と連結手段を設けるだけでよく、比較的構造が簡単で、施工も容易であること等の効果を有する。
【００１０】
連結手段は、桟瓦に固定されるボルト、或いは桟瓦にあけた孔を通して野地板に止着される釘やホッチキス等の止着手段であってもよいが、請求項２に係る発明のように桟瓦にあけた孔を通して野地板に打付け、或いは捩じ込んだ釘或いはボルトやネジにすれば、既存の瓦葺き屋根の棟構造においても、桟瓦に孔をあけて野地板に釘を打ち込んだり、ボルトやネジを捩じ込むことにより容易に施工することができる。
【００１１】
第１の針金の連結手段への取付けは、例えば第１の針金を釘或いはボルトやネジに巻き付けたり、接着し或いは溶接することにより行われる。
【００１２】
請求項３に係る発明によると、棟に沿って適当間隔で取付けられ、丸瓦とのし瓦に掛け渡して、これら瓦を押える第１の針金のうち、一部の針金が連結手段より外れたり、連結手段が桟瓦或いは野地板より外れるようなことがあっても、第２の針金が第１の針金を連結している限り、第１の針金による丸瓦とのし瓦の押え込みを持続させることができ、また第２の針金が鬼瓦に交差して掛けられることにより、強風時や地震時における鬼瓦のずれや離脱を防止することができる。
【図面の簡単な説明】
【００１３】
【図１】瓦葺き屋根の棟の斜視図。
【図２】棟構造の断面図。
【図３】棟端の正面図。
【図４】第１の針金の端部が桟瓦に取付けたボルトに連結された状態を示す断面図。
【発明を実施するための形態】
【００１４】
以下、本発明の実施形態の瓦葺き屋根の棟構造について図面により説明する。
図１は、棟の斜視図であり、図２は棟構造の断面、図３は棟端の正面を示すもので、棟母屋１上に取付けられる野地板２には、棟から軒までの間に桟木３が一定間隔で横向きに取付けられ（図２には桟木３の一部が示してある）、桟瓦４が桟木３に引掛けて取付けられている。
【００１５】
棟においては、棟に沿い、棟両側の桟瓦の瓦尻上まで練土５を被せたのち、棟両側にのし瓦６を並べ、更にその上に練土５を介してのし瓦６を複数段積み重ね、ついで丸瓦７を棟両側ののし瓦６を跨ぐようにして取付けてなるもので、以上述べた屋根構造は従来の屋根構造と変わりがない。
【００１６】
本実施形態の瓦葺き屋根の棟構造では、棟両側ののし瓦脇の各桟瓦４において、谷中央部に上下に貫通する孔８があけられ、該孔８を通して連結手段である止着具としてのボルト９が前記野地板２に捩じ込まれている（ボルトに代え、ネジを野地板２に捩じ込んでもよいし、孔８を通して釘を野地板２に打ち込んでもよい）。孔８はボルト頭部で塞がれ、孔８を通して雨水が浸入することがないようにしているが、漆喰、瓦専用のシリコン等で孔を塞ぎ、シールが確実に行われるようにするのが望ましい。連結手段としてネジ或いは釘を使用する場合も同様である。
【００１７】
棟両側の桟瓦上には棟に沿って第２の針金１１が配設され、前記ボルト９に第２の針金１１が巻き付けて連結されている。
【００１８】
前記ボルト９にはまた、中央部を丸瓦７に掛け、丸瓦７とのし瓦６に掛け渡した第１の針金１２の端部が巻き付けて固定されている。第１及び第２の針金１１及び１２は、ボルト９に巻付けて固定する代わりに溶接その他任意の手段によってボルト９に固定してもよい。ボルト９に代えてネジや釘を用いる場合も同様である。
【００１９】
のし瓦６にはまた、第３の針金１４が棟に沿って添設され、第１の針金１２と第３の針金１４とが溶接により固着、好ましくはクリップにより止着されて連結されている。
【００２０】
棟両側の桟瓦に沿うようにして配設される前記第２の針金１１は棟端において鬼瓦１６にＸ状に交差して掛けられ（図３）、鬼瓦１６をしっかりと保持している。
【００２１】
本実施形態の棟構造によると、丸瓦７とのし瓦６に掛け渡される第１の針金１２は両端が野地板２に捩じ込まれるボルト９に連結されて固定され、丸瓦７とのし瓦６を押え込むため、台風等の強風や地震発生時にこれら瓦６、７がずれたり、崩れたりしにくくなり、しっかりと固定できること、既存の瓦葺き屋根の棟構造においても、桟瓦４に孔をあけ、該孔を通してボルト９或いはネジを野地板２に捩じ込むか、或いは前記孔を通して野地板に釘を打ち付けると共に、第１の針金１２を丸瓦７とのし瓦６に掛け渡してボルト９、ネジ或いは釘に連結し、また第２の針金１１を棟両側の桟瓦４に、第３の針金１４をのし瓦６に添設して、第２の針金１１を前記ボルト９、ネジ或いは釘と第３の針金１４に連結し、更に第２の針金１１を鬼瓦１６に掛けることで施工できること、施工後、例えボルト９、ネジ或いは釘が野地板２より外れ、或いは第１の針金１２がボルト９、ネジ或いは釘より外れるようなことがあっても第１の針金１２が第２或いは第３の針金１２、１４に連結されていれば、丸瓦７とのし瓦６の押え込みを持続させることができ、また第２の針金１１で鬼瓦１６をしっかりと保持することができ、ずれや離脱を防止できること、構造及び施工が比較的簡素で、容易であること等の効果を有する。
【００２２】
前記実施形態では、第１の針金１２の端部は桟瓦４にあけた孔を通して野地板２に捩じ込み或いは打ち付けたボルト、ネジ或いは釘等に連結されているが、図４に示す実施形態では桟瓦４にあけた孔８にボルト１８を通し、桟瓦下に突出するボルト１８にナット１９を捩じ込むことにより桟瓦に固定される前記ボルト１８に第１の針金１２を巻き付けるか或いは接着ないし溶接して固定される。この場合、桟瓦４は丸瓦７やのし瓦６と共に強風等に煽られて容易に持上げられ、飛散しないようにするため隣接する桟瓦と瓦専用の接着剤にて接着しておくのが望ましい。
【符号の説明】
【００２３】
１・・棟母屋
２・・野地板
３・・桟木
４・・桟瓦
５・・練土
６・・のし瓦
７・・丸瓦
８・・孔
９・・ボルト
１１・・第２の針金
１２・・第１の針金
１４・・第３の針金
１６・・鬼瓦
【図１】
2013238008.tif 000003
【図２】
2013238008.tif 000004
【図３】
2013238008.tif 000005
【図４】
2013238008.tif 000006